(57)【要約】      （修正有）【課題】異なるタイプのメモリカードを収容するためのメモリカードコネクタを提供する。【解決手段】異なるタイプのメモリカードを収容するためのメモリカードコネクタに関して、特にユーザーアイデンティティモジュール(ＳＩＭ)カードコネクタをメモリカードコネクタと結合して、絶縁ハウジングに隣接で高度が異なる多層の凹溝を設置することを介して、外囲の遮蔽ケースを合わせて、多層で独立の収容空間を形成させて、しかも凹溝と遮蔽ケースの設置を介して、各々のコネクタ端子を分けて、そしてそれぞれ遮蔽ケースを備えて異なるタイプのメモリカードを収容するためのメモリカードコネクタである。【選択図】図１
0003130287.tif 000002
【実用新案登録請求の範囲】
【請求項１】
異なるタイプのメモリカードを収容するためのメモリカードコネクタであって、絶縁ハウジング、第一端子組、第二端子組、第一遮蔽ケース、第二遮蔽ケースを含み、その中、当該絶縁ハウジングは、第一凹溝と第二凹溝を設けて、第一凹溝と第二凹溝は、隣り合って設置して、しかも、第二凹溝のレベル高度は、第一凹溝のレベル高度より低くて、当該第一凹溝の内部に、複数の第一収容溝を設けて、当該第二凹溝の内部に、複数の第二収容溝を設けて、当該第一端子組が当該第一収容溝に収容固定されて、当該第二端子組が当該第二収容溝に収容固定されて当該、第二遮蔽ケースは、第二凹溝を覆って、第二遮蔽ケースの上側面が当該第一凹溝の底部と同じに高くならせて、第一遮蔽ケースは、第一凹溝及び第二凹溝の上方を覆って、従って、当該第一遮蔽ケース、第一凹溝、第二遮蔽ケースと第一遮蔽ケースの間で第一収容空間を形成して、第二凹溝と第二遮蔽ケースの間で第二収容空間を形成して、第一収容空間と第二収容空間は、異なっている記憶カードを差し入れるように用いられて、しかも、当該等の記憶カードは、同時に差し入れたり、使用することができることを特徴とするメモリカードコネクタ。
【請求項２】
当該第二遮蔽ケースは、上側面で適当の部位に向上して凸部を設けて、その凸部が第一収容空間の導溝（guiding recess）に挿し入れることを導くように用いられて、記憶カードを第一収容空間に挿し入れる時、比較的によい導引と及び定位効果を有することを特徴とする請求項１に記載の異なるタイプのメモリカードを収容するためのメモリカードコネクタ。
【請求項３】
当該向上するところに設置している凸部は、当該第二遮蔽ケースが向上して曲折して形成されたことを特徴とする請求項２に記載の異なるタイプのメモリカードを収容するためのメモリカードコネクタ。
【請求項４】
その中、第二凹溝の辺縁は、凸角を設けて、当該凸角は、それぞれ第一収容空間と第二収容空間を欠けた処と形成させて、そのため、第一収容空間と第二収容空間の記憶カードが誤って挿し込む情況を生むことを防止することを特徴とする請求項１に記載の異なるタイプのメモリカードを収容するためのメモリカードコネクタ。
【請求項５】
その中、当該第一収容空間と第二収容空間の開口は、同じな側であることを特徴とする請求項１に記載の異なるタイプのメモリカードを収容するためのメモリカードコネクタ。
【請求項６】
その中、当該第一端子組は、ユーザーアイデンティティモジュール(ＳＩＭ)カード用の端子組であって、当該第一収容空間は、ユーザーアイデンティティモジュール(ＳＩＭ)カードに用いられることを特徴とする請求項１に記載の異なるタイプのメモリカードを収容するためのメモリカードコネクタ。
【請求項７】
その中、当該第一端子組の各端子は、端子接触部を設けて、当該第一収容空間に挿しいれた記憶カードと電気接触することに用いられて、当該等の端子接触部の形状は、ア-クの形となることを特徴とする請求項６に記載の異なるタイプのメモリカードを収容するためのメモリカードコネクタ。
【請求項８】
その中、当該第二端子組は、記憶カード用の端子組であって、当該第二収容空間は、記憶カードを挿し入れることに用いられることを特徴とする請求項１に記載の異なるタイプのメモリカードを収容するためのメモリカードコネクタ。
【考案の詳細な説明】
【技術分野】
【０００１】
本考案は、異なるタイプのメモリカードを収容するためのメモリカードコネクタに関して、特にユーザーアイデンティティモジュール(ＳＩＭ)カードコネクタをメモリカードコネクタと結合して、しかもそれぞれのコネクタが独立の遮蔽シェルを備えて異なるタイプのメモリカードを収容するためのメモリカードコネクタである。
【背景技術】
【０００２】
携帯電話の使用率は、20世紀から21世紀の今日に至って大幅に増えてきて、いくつかの地区で、更に平均にひとりは一つ以上の携帯電話を持つ程度ぐらい達成して、人類の創造性と科学技術の発達についてに、携帯電話の使用にも、電話をかけることと受け取ることに限るだけではなくて、様々な総合性の機能を備える。これらの増加な総合性の機能は、まとめて２時期を分けると言える。まず、携帯電話の無線伝送機能を拡大させて、そのため、携帯電話に伝送接収していた信号は、音であることだけから文字或いはピクチャーまで拡大させることができる。次に、異なった電子製品と携帯電話を一体に整合させて、携帯電話が複合多様性の機能を備えるように使用される。前者は、ソフトウェアの部分だと言えて、後者は、ハードウエアの部分だと言えることができて、特に科学技術の発展が十分にハードウエアの結合に更に軽くて、薄くて、短くて、小さくならせることができて、その後、多機能の携帯電話は、大いに異彩を放つことを始めて、例えば、携帯電話とデジタルカメラの結合は、その一つの目映い製品進歩と看取られる。以前のカメラ付きの携帯電話は、撮影レンズが読み取るデジタル画像ファイルを携帯電話の電気回路板のメモリに保存させて、メモリ容量は、固定であってしかも拡充してはいけない型式に属して、しかしながら、カメラ付きの携帯電話の画素が絶えず高まってきたことに従って、しかも携帯電話が多様性となって、例えば、メモリは、MP3フォーマットの音楽ファイルを保存できて、そして、携帯電話が音楽放送の機能を有することができます。また、マイクを組み合わせて、携帯電話が録音機能を有することができます。更に、メモリを直接に電子ファイルの記憶媒体として、携帯電話をモバイルのハードディスク等とさせて、携帯電話の使用機能が大幅に増えてきた。しがしながら、そうゆうような多機能の使用性には、もっと多くの記憶空間が支援することを必要として、そのため、モバイルで拡充式の記憶媒体が１つの必要な方案になった。
【考案の開示】
【考案が解決しようとする課題】
【０００３】
携帯電話は、ユーザーアイデンティティモジュール(ＳＩＭ)カード（１種の記憶カードである）コネクタを使用して、ユーザーデータを認証する必要があって、更に、保存する前に前記のモバイルで拡充式による記憶カードデータの記憶カードコネクタを読み取るために、携帯電話の電気回路板の上で少なくとも2つの記憶カードコネクタを必要として、軽くて、薄くて、短くて、小さい設計の前提で、小さくて小型の記憶カードとユーザーアイデンティティモジュール(ＳＩＭ)を畳むコネクタは、開示使用されて、例えば、台湾実用新案特許の第９３２１９１０５号は、その一つの例であって、図４を参照して、それは当該コネクタの底部立体外観図であって、当該特許で開示されたコネクタは、収容空間Ａを設けて、この収容空間Ａの底部は、中空部であって、しかも、収容空間Ａの適切な位置に隔板Ｂを設置して、収容空間Ａを記憶カードモジュールＣ及びユーザーアイデンティティモジュール(ＳＩＭ)Ｄと分けさせて、並びに記憶カードモジュールＣの一端に導電端子組Ｃ１を設置して、しかもユーザーアイデンティティモジュール(ＳＩＭ)Ｄの底面に導電端子組Ｄ１を設置して、最後に遮蔽シェルＥ（shielding shell）をコネクタの上方に覆わせます。
【０００４】
当該特許は主に隔板Ｂを記憶カードモジュールＣ及びユーザーアイデンティティモジュール(ＳＩＭ)Ｄの空間の区分として、実施例から解かって、実際に当該隔板Ｂは、ユーザーアイデンティティモジュール(ＳＩＭ)Ｄの導電端子Ｄ１の絶縁ハウジングであって、しかも、当該実施例に記載されるように、当該ユーザーアイデンティティモジュール(ＳＩＭ)Ｄの導電端子Ｄ１は、当該ユーザーアイデンティティモジュール(ＳＩＭ)Ｄの底部に設置されて、即ち当該隔板Ｂの底部、並びに当該収容空間Ａの底部は、中空部を設けて、従って、当該導電端子Ｄ１は、記憶カードモジュールＣとの間に遮蔽が無くて、干渉があるかもしれなくて、更に誤って触りがある可能性があって、そのため、改善する必要が確かにある。本考案は前記の欠点に対して、改良及び設計を進むことである。
【課題を解決するための手段】
【０００５】
本考案の主な目的は、異なるタイプのメモリカードを収容するためのメモリカードコネクタを提供して、それは、メモリカードコネクタの遮蔽効果を増加できて、ユーザーアイデンティティモジュール(ＳＩＭ)カードコネクタとメモリカードコネクタの相互に干渉を免れることができます。
【０００６】
本考案の他のもう一つの目的は、異なるタイプのメモリカードを収容するためのメモリカードコネクタを提供して、それは、確かにユーザーアイデンティティモジュール(ＳＩＭ)カードコネクタの端子とメモリカードコネクタの端子を分けることができて、誤って触ってきた情況を免れることができます。
【０００７】
本考案の他のもう一つの目的は、異なるタイプのメモリカードを収容するためのメモリカードコネクタを提供して、遮蔽ケースでユーザーアイデンティティモジュール(ＳＩＭ)カードを導いて挿し入れる時に導引定位の効果を達成する。
【０００８】
本考案の他のもう一つの目的は、異なるタイプのメモリカードを収容するためのメモリカードコネクタを提供して、絶縁ハウジングの一側に凸部を設けることで、ユーザーアイデンティティモジュール(ＳＩＭ)カードの挿し入れる空間とメモリカードコネクタの挿し入れる空間を同時に欠けた処を形成して、誤りに挿し入れる効果を免れることを達成する。
【０００９】
上述の目的を達成するため、本考案の結構と特徴は下記の如く記載される。本考案による異なるタイプのメモリカードを収容するためのメモリカードコネクタの実施例は、絶縁ハウジング、第一端子組、第二端子組、第一遮蔽ケース、第二遮蔽ケースを含む。その中、当該絶縁ハウジングは、第一凹溝と第二凹溝を設けて、第一凹溝と第二凹溝は、隣り合って設置して、同時に、第二凹溝のレベル高度は、第一凹溝のレベル高度より低くて、側面から見て、第一凹溝と第二凹溝は、階段の形を呈して、第一凹溝の内部に、複数の第一収容溝を設けて、それによって、第一端子組を収容する。第二凹溝の内部に、複数の第二収容溝を設けて、それによって、第二端子組を収容する。第二遮蔽ケースは、第二凹溝を覆って、第二遮蔽ケースの上側面が当該第一凹溝の底部と同じに高くならせる。第一遮蔽ケースは、第一凹溝及び第二凹溝の上方を覆って、従って、第一遮蔽ケース、第一凹溝、第二遮蔽ケース、及び第二凹溝の間にと独立の空間を形成して、即ち、第一凹溝、第二遮蔽ケースと第一遮蔽ケースの間で形成された空間は、第一収容空間であって、第二凹溝と第二遮蔽ケースの間で形成された空間は、第二収容空間であって、第一収容空間と第二収容空間は、異なっている記憶カードを差し入れるように用いられて、しかも、当該等の記憶カードは、同時に差し入れたり、使用することができる。
【００１０】
また、第一収容空間と第二収容空間は、それぞれ第一遮蔽ケースと第二遮蔽ケースを有して、そのため、それぞれ独立に二つのコネクタの遮蔽効果を提供できて、そして、二つのコネクタの間に相互に干渉を免れて、それに、第一凹溝と第二凹溝は、隣り合って設置されるため、二つのコネクタの端子の間でまちがいに触れる可能性がない。
【００１１】
本考案は、更に第二遮蔽ケースに凹溝を導く機能が有する凸部を設けて、第二遮蔽ケースは、第一凹溝の底部と同じに高くするため、凸部が第一収容空間記憶カードの導溝（guiding recess）に挿し入れることを導くように用いられて、記憶カードを第一収容空間に挿し入れる時、比較的によい導引と及び定位効果を有することができる。
【００１２】
同時に、絶縁ハウジングは、第二凹溝の一側辺縁はに凸角を設けて、第二凹溝の下部空間は、第二収容空間をとして、しかも上部空間は第一凹溝と第一収容空間を形成するため、第二凹溝側角辺縁の凸角は、それぞれ第一収容空間と第二収容空間を欠けた処と形成させて、これらの欠けた処は、記憶カードの欠けた処を合わせて、そのため、記憶カードが誤って挿し込む情況を生むことを防止する。
【００１３】
更に本考案の精神と技術特徴を更に審査官に分からせるために、下記は実施例で詳細に説明する。
【考案の効果】
【００１４】
本考案は、特にユーザーアイデンティティモジュール(ＳＩＭ)カードコネクタをメモリカードコネクタと結合して、絶縁ハウジングに隣接で高度が異なる多層の凹溝を設置することを介して、外囲の遮蔽ケースを合わせて、多層で独立の収容空間を形成させて、しかも凹溝と遮蔽ケースの設置を介して、各々のコネクタ端子を分けて、そしてそれぞれ遮蔽ケースを備えて異なるタイプのメモリカードを収容するためのメモリカードコネクタである。
【考案を実施するための最良の形態】
【００１５】
図１〜３を参照して、それは、本考案の好ましい実施例であって、当該実施例による異なるタイプのメモリカードを収容するためのメモリカードコネクタは、絶縁ハウジング１、第一端子組２、第二端子組３、第一遮蔽ケース４、第二遮蔽ケース５を含む。その中、当該絶縁ハウジング１は、第一凹溝１１と第二凹溝１２を設けて、第一凹溝１１と第二凹溝１２は、隣り合って設置して、同時に、第二凹溝１２のレベル高度は、第一凹溝１１のレベル高度より低くて、側面から見て、第一凹溝１１と第二凹溝１２は、階段の形を呈して、第一凹溝１１の内部に、複数の第一収容溝１１１を設けて、それによって、第一端子組２を収容する。第二凹溝１２の内部に、複数の第二収容溝１２１を設けて、それによって、第二端子組３を収容する。第二遮蔽ケース５は、第二凹溝１２を覆って、第二遮蔽ケース５の上側面が当該第一凹溝１１の底部と同じに高くならせる。第一遮蔽ケース４は、第一凹溝１１及び第二凹溝１２の上方を覆って、従って、第一凹溝１１、第二遮蔽ケース５と第一遮蔽ケース４の間で第一収容空間６を形成して、第二凹溝１２と第二遮蔽ケース５の間で第二収容空間７を形成する。本実施例中に、第一収容空間６は、ユーザーアイデンティティモジュール(ＳＩＭ)カード８を挿し入れるために用いられて、第二収容空間７は、microＳＤカード或るいは他の式の記憶カードを挿し入れるために用いられて、従って、当該第一端子組２と第二端子組３は、それぞれユーザーアイデンティティモジュール(ＳＩＭ)カード８及びmicroＳＤカードのコネクタ端子に適用して、しかも、ユーザーアイデンティティモジュール(ＳＩＭ)カード８及びmicroＳＤカードも、同時にし入れたり、使用することができる。前記第一凹溝１１と第二凹溝１が形成した階段の形状は、第一収容空間６と第二収容空間７の開口となって、しかもユーザーアイデンティティモジュール(ＳＩＭ)カード８がちゃんと側面方向に沿って挿し入れるために、当該第一端子の接触部はア-クの形となられる。
【００１６】
実務上、当該第二収容空間７に挿しいられる記憶カードは第二端子組３の変更によって変える。例えば、第二端子組３をminiＳＤに適用されるコネクタ端子と替わって、それによって、第二収容空間７は、microＳＤカード９を挿し入れることができて、もちろん、第二端子組３を他態様のコネクタ端子組と替わることができて、また同時に第二凹溝のサイズを変わる必要があって置き換えたい記憶カードを合わせて、これらの技術は本考案のポイントではなく、しかも、当該技術分野を分る方に応用されるため、茲に述べない。
【００１７】
本実施例中に、更に第二遮蔽ケース５の上へ向上するのは曲折して凸部５１を有して、従って、第二遮蔽ケース５は、第一凹溝１１の底部と同じに高くするため、凸部５１がユーザーアイデンティティモジュール(ＳＩＭ)カード８の導溝（guiding recess）に挿し入れることを導くように用いられて、ユーザーアイデンティティモジュール(ＳＩＭ)カード８を第一収容空間６に挿し入れる時、比較的によい導引と及び定位効果を有することができる。同時に、絶縁ハウジング１は、第二凹溝１２の一側辺縁はに凸角１２２を設けて、第二凹溝１２の下部空間は、第二収容空間７をとして、しかも上部空間は第一凹溝１１と第一収容空間６を形成するため、第二凹溝１２側角辺縁の凸角１２２は、それぞれ第一収容空間６と第二収容空間７を欠けた処と形成させて、これらの欠けた処は、ユーザーアイデンティティモジュール(ＳＩＭ)カード８及びmicroＳＤカードの欠けた処を合わせて、そのため、誤って挿し込む情況を生むことを防止する。
【００１８】
本考案は、確かに実用新案特許権の構成要件を有して、実施例に開示された結構は、容易に本考案を説明するためのことであって、本考案の範囲を制限するわけではない。本考案の範囲を限定するわけにはならない。本考案の明細書でこの技術を分る考案者が、本考案にかかる精神を離れないまました補正は、本考案の類似な結構と見なされて、本考案による請求の範囲に含まれる。
【図面の簡単な説明】
【００１９】
【図１】本考案による好ましい実施例の立体分解図である。
【図２】本考案による好ましい実施例の操作を示す第一の図である。
【図３】本考案による好ましい実施例の操作を示す第二の図である。
【図４】従来技術の層が畳んでいるコネクタの底部立体図である。
【符号の説明】
【００２０】
１  絶縁ハウジング
１１  第一凹溝
１１１  第一収容溝
１２  第二凹溝
１２１  第二収容溝
１２２  凸角
２  第一端子組
３  第二端子組
４  第一遮蔽ケース
５  第二遮蔽ケース
５１  凸部
６  第一収容空間
７  第二収容空間
８  ユーザーアイデンティティモジュール(ＳＩＭ)カード
９  micro ＳＤカード
Ａ  収容空間
Ｂ  隔板
Ｃ  記憶カードモジュール
Ｃ１  導電端子
Ｄ  ユーザーアイデンティティモジュール(ＳＩＭ)
Ｄ  導電端子
【図１】
0003130287.tif 000003
【図２】
0003130287.tif 000004
【図３】
0003130287.tif 000005
【図４】
0003130287.tif 000006